(57)【要約】【課題】  座板部がその前端部に切り込み形状の凹み部を有しているにもかかわらず、ベッド形態で用いられるときにベッド部分の上側面をほぼ平坦な状態に保持することが可能であるとともに、検診台形態で用いられるときに足受け部が使用者に向って突出しない医療台を、比較的簡単な構成でもって、提供することができる。【解決手段】  足受け部１２が、足受け部本体１４と足受け部補助体１６とを備えている。そして、上記足受け部本体１４が、上記足受け部補助体１６に対して回動可能に構成されている。また、切り込み形状の凹み部２４が、座板部１１の前端部に形成されている。そして、上記足受け部補助体１６が、上記凹み部２４に嵌め込まれることができる。【選択図】図５
2016077505.tif 000002
【特許請求の範囲】
【請求項１】
使用者の背部を支持することができる背受け部と、使用者の臀部を支持することができる座板部と、使用者の足部を支持することができる足受け部と備えている医療台であって、
上記背受け部、上記座板部および上記足受け部のそれぞれが上記医療台のベッド形態におけるベッド部分の構成体として機能するように構成されている医療台において、
上記足受け部が、この足受け部の後端部の側に設けられた足受け部補助体と、上記足受け部補助体の前端部の側に設けられた足受け部本体と、上記足受け部を上記医療台本体の側に取り付けるための被取付け手段とを備え、
上記足受け部本体が上記足受け部補助体に対して回動可能に構成され、
上記座板部の前端からこの座板部の後端部の側に向って平面的に見て切り込み形状である凹み部がこの座板部の前端部に形成され、
上記足受け部が上記医療台本体の側に取付けられた状態においては、上記足受け部補助体が上記凹み部に嵌め込まれているように構成され、
上記足受け部が上記被取付け手段を用いて上記医療台本体に取付けられるように構成されていることを特徴とする医療台。
【請求項２】
上記被取付け手段が左右一対のほぼロッド状の被取付け部であり、
上記医療台本体がこの医療台本体に設けられた取付け手段としての左右一対の取付け孔をそれぞれ備え、
上記左右一対のほぼロッド状の被取付け部を上記左右一対の取付け孔にそれぞれ着脱自在に差し込み嵌合させることによって、上記足受け部が上記医療台本体に着脱自在に取付けられるように構成されていることを特徴とする請求項１に記載の医療台。
【請求項３】
上記医療台が第２の足受け部をさらに備え、
上記第２の足受け部が平面的に見て上記足受け部補助体とほぼ同形である足受け用突出部と、平面的に見て上記足受け部本体とほぼ同形でありかつ上記足受け用突出部と一体的に構成されている足受け部本体と、上記被取付け手段とほぼ同一の構成を有している被取付け手段とを備え、
上記第２の足受け部が、上記足受け部に代えて、上記ベッド形態におけるベッド部分の構成体として機能するように構成されていることを特徴とする請求項１または２に記載の医療台。
【請求項４】
上記足受け部が上記被取付け手段を有する足受け部用フレームを備え、
上記足受け部用フレームが、上記医療台本体に取付け固定される上記被取り付け手段を備えかつ上記足受け部補助体が取り付け固定されている固定部と、上記固定部に回動可能に取付けられかつ上記足受け部本体が取付けられている足受け支持用ロッド部と、上記足受け支持用ロッド部に回動可能に軸支されている回動操作部材とを備え、
上記回動操作部材の回動操作によって、上記足受け支持用ロッド部の回動位置を変更して、上記足受け部本体の回動位置を変更し得るように構成されていることを特徴とする請求項１、２または３に記載の医療台。
【請求項５】
上記足受け部補助体および上記凹み部のそれぞれの平面的に見たときのほぼ左右方向における第１の最大長さが、１６〜３２ｃｍの範囲であり、
上記足受け部補助体および上記凹み部のそれぞれのほぼ前後方向における第２の最大長さが、６〜１２ｃｍの範囲であり、
上記足受け部補助体および上記凹み部のそれぞれの第１の面積が、１００〜３００ｃｍ２の範囲であり、
上記足受け部本体の平面的に見たときのほぼ左右方向における第３の最大長さが、３０〜６２ｃｍの範囲であり、
上記足受け部本体の平面的に見たときのほぼ前後方向における第４の最大長さが、３８〜７６ｃｍの範囲であり、
上記足受け部本体の平面的に見たときの第２の面積が、１，２５０〜３，７５０ｃｍ２の範囲であり、
上記第３の最大長さに対する上記第１の最大長さの比が、０．３４〜０．７０の範囲であり、
上記第４の最大長さに対する上記第２の最大長さの比が、０．１０〜０．２２の範囲であり、
上記第２の面積に対する上記第１の面積の比が、４〜１２％の範囲であることを特徴とする請求項１〜４のうちのいずれか１つに記載の医療台。
【請求項６】
上記足受け部補助体および上記凹み部のそれぞれの平面的に見たときのほぼ左右方向における第１の最大長さが、１８〜３０ｃｍの範囲であり、
上記足受け部補助体および上記凹み部のそれぞれのほぼ前後方向における第２の最大長さが、６．６〜１１．４ｃｍの範囲であり、
上記足受け部補助体および上記凹み部のそれぞれの第１の面積が、１３２〜２６８ｃｍ２の範囲であり、
上記足受け部本体の平面的に見たときのほぼ左右方向における第３の最大長さが、３４〜５８ｃｍの範囲であり、
上記足受け部本体の平面的に見たときのほぼ前後方向における第４の最大長さが、４２〜７２ｃｍの範囲であり、
上記足受け部本体の平面的に見たときの第２の面積が、１，６６０〜３，３４０ｃｍ２の範囲であり、
上記第３の最大長さに対する上記第１の最大長さの比が、０．３９〜０．６５の範囲であり、
上記第４の最大長さに対する上記第２の最大長さの比が、０．１２〜０．２０の範囲であり、
上記第２の面積に対する上記第１の面積の比が、５〜１１％の範囲であることを特徴とする請求項１〜４のうちのいずれか１つに記載の医療台。
【請求項７】
上記足受け部補助体および上記凹み部のそれぞれの平面的に見たときのほぼ左右方向における第１の最大長さが、１９．２〜２８．８ｃｍの範囲であり、
上記足受け部補助体および上記凹み部のそれぞれのほぼ前後方向における、第２の最大長さが、７．２〜１０．８ｃｍの範囲であり、
上記足受け部補助体および上記凹み部のそれぞれの第１の面積が、１５０〜２５０ｃｍ２の範囲であり、
上記足受け部本体の平面的に見たときのほぼ左右方向における第３の最大長さが、３６〜５６ｃｍの範囲であり、
上記足受け部本体の平面的に見たときのほぼ前後方向における第４の最大長さが、４５〜６９ｃｍの範囲であり、
上記足受け部本体の平面的に見たときの第２の面積が、１，８７０〜３，１３０ｃｍ２の範囲であり、
上記第３の最大長さに対する上記第１の最大長さの比が、０．４１〜０．６３の範囲であり、
上記第４の最大長さに対する上記第２の最大長さの比が、０．１３〜０．２０の範囲であり、
上記第２の面積に対する上記第１の面積の比が、６〜１０％の範囲であることを特徴とする請求項１〜４のうちのいずれか１つに記載の医療台。
【請求項８】
上記座板部を取付け支持している座板支持部を備え、
上記座板支持部が、平面的に見て上記凹み部とほぼ同形の第２の凹み部を有していることを特徴とする請求項１〜７のうちのいずれか１つに記載の医療台。
【発明の詳細な説明】
【技術分野】
【０００１】
本発明は、使用者の背部を支持することができる背受け部と、使用者の臀部を支持することができる座板部と、使用者の足部を支持することができる足受け部と備えている医療台であって、上記背受け部、上記座板部および上記足受け部のそれぞれが上記医療台のベッド形態におけるベッド部分の構成体として機能するように構成されている医療台に関するものである。
【背景技術】
【０００２】
上述のように構成されている医療台は、特許文献１に分娩台として開示されているように、従来から知られている。そして、この特許文献１に開示されている医療台（以下、「特許文献１の医療台」という。）においては、ベッド形態として用いられるときには、左右一対の足載せ具をベッド部分の構成体として機能させるようにしている。また、特許文献１の医療台においては、それぞれほぼ同じ大きさである前側および後側の児受け台を有する児受け台をベッド部分の別の構成体として機能させるようにしている。これとともに、上記医療台が分娩台形態や検診台形態として用いられるときには、この別の構成体が邪魔にならないようにするために、上記前側および後側の児受け台をそれぞれ下降させた後に、これら前側および後側の児受け台を座板部および背受部のそれぞれの下方に収納するようにしている。
【特許文献１】特開２０１０−１７４号公報
【発明の開示】
【発明が解決しようとする課題】
【０００３】
しかし、特許文献１の医療台においては、左右一対の足載せ具をベッド部分の構成体として機能させるようにしているから、これら左右一対の足載せ具のそれぞれの構造および動作が複雑であるとともに、これら左右一対の足載せ具の取扱いが面倒である。また、それぞれほぼ同じ大きさである前側および後側の児受け台を有する児受け台をベッド部分の別の構成体として機能させるとともに、この別の構成体を使用しないときには、上記前側および後側の児受け台をそれぞれ下降させた後に、これら前側および後側の児受け台を座板部および背受け部のそれぞれの下方に収納するようにしている。このために、それぞれほぼ同じ大きさである前側児受け台と後側児受け台とを有する児受け台の構造および動作が複雑であるとともに、児受け台の取扱いが面倒である。
【０００４】
本発明は、特許文献１の分娩台における上述のような欠点を比較的簡単な構成でもって効果的に解決するようにしたものである。
【特許文献１】特開２０１０−１７４号公報
【課題を解決するための手段】
【０００５】
本発明は、使用者の背部を支持することができる背受け部と、使用者の臀部を支持することができる座板部と、使用者の足部を支持することができる足受け部と備えている医療台であって、上記背受け部、上記座板部および上記足受け部のそれぞれが上記医療台のベッド形態におけるベッド部分の構成体として機能するように構成されている医療台において、上記足受け部が、この足受け部の後端部の側に設けられた足受け部補助体と、上記足受け部補助体の前端部の側に設けられた足受け部本体と、上記足受け部を上記医療台本体の側に取り付けるための被取付け手段とを備え、上記足受け部本体が上記足受け部補助体に対して回動可能に構成され、上記座板部の前端からこの座板部の後端部の側に向って平面的に見て切り込み形状である凹み部がこの座板部の前端部に形成され、上記足受け部が上記医療台本体の側に取付けられた状態においては、上記足受け部補助体が上記凹み部に嵌め込まれているように構成され、上記足受け部が上記被取付け手段を用いて上記医療台本体に取付けられるように構成されていることを特徴とする医療台に係るものである。
【０００６】
また、本発明は、その第１の観点においては、上記被取付け手段が左右一対のほぼロッド状の被取付け部であり、上記医療台本体がこの医療台本体に設けられた取付け手段としての左右一対の取付け孔をそれぞれ備え、上記左右一対のほぼロッド状の被取付け部を上記左右一対の取付け孔にそれぞれ着脱自在に差し込み嵌合させることによって、上記足受け部が上記医療台本体に着脱自在に取付けられるように構成されているのが好ましい。そして、本発明は、その第２の観点においては、上記医療台が第２の足受け部をさらに備え、上記第２の足受け部が平面的に見て上記足受け部補助体とほぼ同形である足受け用突出部と、平面的に見て上記足受け部本体とほぼ同形でありかつ上記足受け用突出部と一体的に構成されている足受け部本体と、上記被取付け手段とほぼ同一の構成を有している被取付け手段とを備え、上記第２の足受け部が、上記足受け部に代えて、上記ベッド形態におけるベッド部分の構成体として機能するように構成されているのが好ましい。さらに、本発明は、その第３の観点においては、上記足受け部が上記被取付け手段を有する足受け部用フレームを備え、上記足受け部用フレームが、上記医療台本体に取付け固定される上記被取り付け手段を備えかつ上記足受け部補助体が取り付け固定されている固定部と、上記固定部に回動可能に取付けられかつ上記足受け部本体が取付けられている足受け支持用ロッド部と、上記足受け支持用ロッド部に回動可能に軸支されている回動操作部材とを備え、上記回動操作部材の回動操作によって、上記足受け支持用ロッド部の回動位置を変更して、上記足受け部本体の回動位置を変更し得るように構成されているのが好ましい。
【０００７】
また、本発明は、その第４の観点においては、上記足受け部補助体および上記凹み部のそれぞれの平面的に見たときのほぼ左右方向における第１の最大長さが、１６〜３２ｃｍ（さらに好ましくは、１８〜３０ｃｍ、最も好ましくは、１９．２〜２８．８ｃｍ）の範囲であり、上記足受け部補助体および上記凹み部のそれぞれのほぼ前後方向における第２の最大長さが、６〜１２ｃｍ（さらに好ましくは、６．６〜１１．４ｃｍ、最も好ましくは、７．２〜１０．８ｃｍ）の範囲であり、上記足受け部補助体および上記凹み部のそれぞれの第１の面積が、１００〜３００ｃｍ２（さらに好ましくは、１３２〜２６８ｃｍ２、最も好ましくは、１５０〜２５０ｃｍ２）の範囲であり、上記足受け部本体の平面的に見たときのほぼ左右方向における第３の最大長さが、３０〜６２ｃｍ（さらに好ましくは、３４〜５８ｃｍ、最も好ましくは、３６〜５６ｃｍ）の範囲であり、上記足受け部本体の平面的に見たときのほぼ前後方向における第４の最大長さが、３８〜７６ｃｍ（さらに好ましくは、４２〜７２ｃｍ、最も好ましくは、４５〜６９ｃｍ）の範囲であり、上記足受け部本体の平面的に見たときの第２の面積が、１，２５０〜３，７５０ｃｍ２（さらに好ましくは、１，６６０〜３，３４０ｃｍ２、最も好ましくは、１，８７０〜３，１４０ｃｍ２）の範囲であり、上記第３の最大長さに対する上記第１の最大長さの比が、０．３４〜０．７０（さらに好ましくは、０．３９〜０．６５、最も好ましくは、０．４１〜０．６３）の範囲であり、上記第４の最大長さに対する上記第２の最大長さの比が、０．１０〜０．２２（さらに好ましくは、０．１２〜０．２０、最も好ましくは、０．１３〜０．２０）の範囲であり、上記第２の面積に対する上記第１の面積の比が、４〜１２％（さらに好ましくは、５〜１１％、最も好ましくは、６〜１０％）の範囲であるのが好ましい。
【０００８】
また、本発明は、その第５の観点においては、上記座板部を取付け支持している座板支持部を備え、上記座板支持部が、平面的に見て上記凹み部とほぼ同形の第２の凹み部を有しているのが好ましい。
【発明の効果】
【０００９】
請求項１に係る発明によれば、足受け部が医療台本体に取付けられた状態においては、足受け部の足受け部補助体が座板部の前端部に形成された凹み部に嵌め込まれるから、医療台がベッド形態で用いられるときに、上記凹み部によってベッド部分の上側面に深い凹みが形成されることがないようにして、ベッド部分の上側面をほぼ平坦な状態に保持することが可能である。それでいて、医療台が検診台形態で用いられるときに、足受け部本体がほぼ下方に向って傾動しても、この足受け部本体の基端部の側が使用者に向って実質的に突出することがないようにすることができる。したがって、医療台を使用して検診を受けている使用者に不快感を特に与えることがない。さらに、足受け部を医療台本体から取外したときには、足受け部補助体が座板部の凹み部に存在していないから、座板部が検診時に医師などにとって邪魔になり難く、また、上記検診時に生じる汚水などの各種の汚物を汚物受けなどに収容し易い。しかも、医療台の構造が簡単で動作が確実である。
【００１０】
また、請求項２に係る発明によれば、左右一対のほぼロッド状の被取付け部を左右一対の取付け孔にそれぞれ着脱自在に差し込み嵌合させるようにしたので、医療台本体に対する足受け部の着脱を比較的簡単な構造でもって比較的確実に行うことができる。また、請求項３に係る発明によれば、第２の足受け部を、第１の足受け部に代えて、医療台のベッド形態におけるベッド部分の構成体として使用することができるので、医療台を使用する使用者の用途などに応じて、第１の足受け部と第２の足受け部とを選択的に使用することができる。さらに、請求項４に係る発明によれば、医療台本体に対する足受け部本体の回動位置の変更を、比較的簡単な構造でもって、比較的確実に行うことができる。
【００１１】
さらに、請求項５に係る発明によれば、足受け部本体が、座板部の前端部に形成されている切り込み形状の凹み部に較べて十分に大きいので、医療台をベッド形態にしたときだけでなくて、検診台形態にしたときにも、使用者が比較的大きな足受け部本体にこの使用者の両足を比較的快適に載置させることができる。そして、請求項６に係る発明によれば、請求項５に係る発明によって奏する上述の効果をさらに良好に奏することができ、また、請求項７に係る発明によれば、上述の効果を一層良好に奏することができる。さらに、請求項８に係る発明によれば、座板部だけではなくて、座板支持部も、検診時に医師などにとって邪魔になり難く、また、検診時に生じる汚水などの各種の汚物を汚物受けなどにさらに収容しやすい。
【図面の簡単な説明】
【００１２】
【図１】本発明を適用した一実施例による医療台の検診台形態での右側面図である。（実施例１）
【図２】図１に示す医療台のベッド形態での右側面図である。（実施例１）
【図３】図２に示す医療台の、背受け部を傾斜状態まで上傾させた状態での右側面図である。（実施例１）
【図４】図３に示す医療台の、第１の足受け部を傾斜状態まで下傾させた状態での右側面図である。（実施例１）
【図５】図３に示す医療台の要部の、第２の足受け部および左右一対の支脚器を追加した状態での概略的な分解斜視図である。（実施例１）
【図６】図５に示す医療台の検診台形態での概略的な斜視図である。（実施例１）
【図７】図３に示す医療台の概略的な斜視図である。（実施例１）
【図８】図４に示す医療台の概略的な斜視図である。（実施例１）
【図９】図２に示す医療台の、第２の足受け部を追加して示す概略的な斜視図である。（実施例１）
【図１０】図９に示す第１の足受け部の、足受け面の角度を変更するのに用いられる足受け部用フレームの斜視図である。（実施例１）
【図１１】図１０に示す足受け部用フレームの、足受け面を傾斜させた状態での斜視図である。（実施例１）
【図１２】図１０のＡ−Ａ線に沿った断面図である。（実施例１）
【図１３】図１１のＢ−Ｂ線に沿った断面図である。（実施例１）
【発明を実施するための形態】
【００１３】
つぎに、本発明を適用した一実施例を、「１、医療台の概略的な構成」、「２、足受け部の構成」、「３、医療台の概略的な動作」および「４、足受け部の動作」に項分けして、図面を参照しつつ説明する。
【００１４】
１、医療台の概略的な構成
【００１５】
医療台１は、図１〜図１３に示すように、産科などの診療室の床面上などに設置されるキャスタ付き下側基枠２を備えている。そして、この下側基枠２は、例えばその四隅にキャスタ３をそれぞれ有している。また、これらのキャスタ３は、上記床面上に配置され得るように構成されている。さらに、キャスタ付き下側基枠２上には、昇降基枠４が例えば周知の昇降機構（図示せず）を介して配設されている。なお、上記周知の昇降機構は、下側基枠２と昇降基枠４との間に配設された蛇腹部８によって被覆されている。そして、昇降基枠４は、図１〜図４に示すように、偏平な箱型形状の枠本体４ａ上に膨出部４ｂが２段階に形成されているものであってよい。
【００１６】
昇降基枠４の前側部分の上端部には、図１〜図４に示すように、支持部材５が取り付け固定されている。そして、この支持部材５には、背受け部６が回動可能に軸支されている。また、昇降基枠４の前側部分の上端部には、背受け部６が回動可能に軸支されている。なお、符号７は、背受け部６を傾動させるための油圧シリンダなどの第１の作動手段である。さらに、支持部材５には、座板支持部９が回動可能に軸支されている。そして、この座板支持部９上には、座板部１１が取り付け固定されている。また、この座板部１１は、油圧シリンダなどの第２の作動手段（図示せず）によって傾動され得るように構成されている。
【００１７】
医療台１が図２および図９に示すベッド状態としても用いられるときには、座板部１１の前側には、第１の足受け部１２または第２の足受け部１３がこの座板部１１の前端付近に隣接して選択的に配置される。そして、昇降基枠４は、下側基枠２上において、昇降機構（図示せず）によって昇降されることができる。このために、背受け部６、座板部１１、第１の足受け部１２（または第２の足受け部１３）などは、上記昇降機構によって上昇および下降されることができる。なお、図２において、符号１７は、座板支持部９に一体的に設けられている汚物受け支持部である。そして、この汚物受け支持部１７は、この汚物受け支持部１７のほぼ下方に配設される汚物受け１８を着脱可能に支持することができる。
【００１８】
２、足受け部の構成
【００１９】
第１の足受け部１２は、図５、図１０などに示すように、足受け部用フレーム１５と、この足受け部用フレーム１５の上側に取付けられた足受け部本体１４と、この足受け部用フレーム１５の上側に取付けられた足受け部補助体１６とを備えている。そして、足受け部補助体１６は、足受け部本体１４よりも幅狭に構成されている。また、足受け部補助体１６は、足受け部本体１４の後端部のほぼ左右方向におけるほぼ中央部分にほぼ隣接している。そして、足受け部補助体１６は、平面的に見て、４つの角部がそれぞれ円弧状であってよいほぼ等脚台形状でかつほぼ横長に構成されている。また、足受け用フレーム１５は、差し込み式取付け手段としての左右一対のほぼロッド状の被取付け部２１ａ、２１ｂから成るほぼＵ字状の固定部２２を備えている。なお、これら左右一対のロッド状被取付け部２１ａ、２１ｂは、平面的に見て、足受け部本体１４からほぼ後方に向って突出している。そして、これら左右一対のロッド状被取付け部２１ａ、２１ｂは、座板支持部９の前側にそれぞれ配設された左右一対の取付け孔２３ａ、２３ｂに着脱可能に差し込み嵌合されることができる。また、足受け部補助体１６は、平面的に見て、これら左右一対のロッド状被取付け部２１ａ、２１ｂの間にほぼ配置されている。
【００２０】
座板部１１および座板支持部９のそれぞれの前側面のほぼ中央部には、図５などに示すように、平面的に見て、足受け部補助体１６とそれぞれほぼ同形状であってよい第１の凹み部２４および第２の凹み部２５が形成されている。なお、平面的に見てそれぞれ切り込み形状であるこれらの凹み部２４、２５は、座板部１１および座板支持部９のそれぞれをほぼ上下方向に貫通して設けられているので、医療台１を使用している患者を医師などが検診するときに、座板部１１および座板支持部９が上記医師などにとって邪魔になり難いようにするのに役立つとともに、上記検診の際に生じる各種の汚水などの汚液、その他の汚物が汚物受け１８に流れ込んだりして収容されるのに有効に機能する。また、座板支持部９の前側の左右両端部付近のそれぞれには、左右一対の取付け孔２３ａ、２３ｂにそれぞれに隣接するように、左右一対の足載せ具支持部２６ａ、２６ｂが突設されている。そして、これら左右一対の足載せ具支持部２６ａ、２６ｂには、左右一対の足載せ具３１ａ、３１ｂが凹凸嵌合によって着脱自在に取付けられることができる。なお、足載せ具３１ａ、３１ｂのそれぞれは、使用者の左右の足のうちの足首から下の部分を支持することができるように構成されている。
【００２１】
足受け用フレーム１５のＵ字状固定部２２の横材部３２には、図１０、図１１などに示すように、左右一対の腕部３３ａ、３３ｂを介して支持板部３４が取付け固定されている。なお、この支持板部３４は、平面的に見て、足受け用補助板１６を一回り小さくした形状であってよい。そして、この支持板部３４上には、足受け用補助体１６が取付けられている。また、Ｕ字状固定部２２には、横材部３２の左右両端付近において、足受け支持手段としての左右一対の足受け支持用ロッド部３５ａ、３５ｂの基端部がそれぞれ回動自在に軸支されている。なお、左右一対の足受け支持用ロッド部３５ａ、３５ｂの先端部は、互いに向き合うように、第１の足受け部１２の左右方向におけるほぼ中心に向ってそれぞれ湾曲している。そして、これら左右一対の足受け支持用ロッド部３５ａ、３５ｂは、全体として、比較的短い止切れ目３８を有するほぼＵ字状に構成されている。また、これら左右一対の足受け支持用ロッド部３５ａ、３５ｂのそれぞれの前後方向における中間部には、左右一対の軸支部３６ａ、３６ｂが突設されている。そして、これら左右一対の軸支部３６ａ、３６ｂには、回動操作部材３７の回動軸部４１の左右一対の嵌合用端部４２が回動可能に嵌合している。
【００２２】
回動軸部４１には、図１０、図１１などに示すように、この回動軸部４１のほぼ前方に向ってほぼ逆Ｕ字状に突設している操作部４３の左右一対の端部がそれぞれ連結されている。さらに、回動軸部４１の左右一対の端部付近には、ほぼ後方に向ってそれぞれ延在している左右一対の制御用腕部４４ａ、４４ｂがそれぞれ取付け固定されている。なお、これら左右一対の制御用腕部４４ａ、４４ｂの先端部のそれぞれには、下側の係合用凹部４５と、この下側の係合用凹部４５の斜め上方でかつ斜め前方においてこの下側の係合用凹部４５に隣接している上側の係合用凹部４６とがそれぞれ配設されている。また一方、Ｕ字状固定部２２には、横材部３２の左右一対の両端部に左右一対の取付け部２１ａ、２１ｂを取付け固定するための左右一対の連結板部４７ａ、４７ｂが設けられている。さらに、これら左右一対の連結板部４７ａ、４７ｂのそれぞれには、左右一対の軸支用開孔５２がそれぞれ設けられている。そして、これら左右一対の軸支用開孔５２には、足受け支持用ロッド部３５ａ、３５ｂの基端部にそれぞれ設けられている左右一対の支軸部５１ｂのそれぞれが回動自在に嵌合している。また、これら左右一対の連結板部４７ａ、４７ｂのそれぞれには、左右一対のストッパ用突起部５３がほぼ内側に向ってそれぞれ突設されている。そして、これら左右一対のストッパ用突起部５３のそれぞれは、左右一対の制御用腕部４４ａ、４４ｂの下側の係合用凹部４５および上側の係合用凹部４６のうちのいずれか一方に選択的に係合するように構成されている。
【００２３】
第２の足受け部１３は、図５および図９に示すように、足受け用フレーム５４と、この足受け用フレーム５４の上側に取付けられた足受け部本体５５とを備えている。そして、足受け部本体５５は、第１の足受け部１２における足受け部本体１５と足受け部補助体１６とが互いに一体的になるように構成された形状を有していてよい。したがって、足受け部本体５５は、ほぼ後方に向って突設されている足受け用突出部５７を備えている。そして、この足受け用突出部５７は、ほぼ等脚台形状にかつほぼ横長に構成されている。また、第２の足受け部１３は、平面的に見て、第１の足受け部１２の左右一対のロッド状取付け部２１ａ、２１ｂと実質的に同一の形状であってよい差し込み式取付け手段としての左右一対のほぼロッド状の被取付け部５６ａ、５６ｂを備えている。したがって、これら左右一対のロッド状被取付け部５６ａ、５６ｂは、左右一対の取付け孔２３ａ、２３ｂに着脱自在に差し込み嵌合されることができる。なお、第２の足受け部１３の足受け用フレーム５４は、第１の足受け用フレーム１５のうちの左右一対の足受け支持用ロッド部３５ａ、３５ｂにそれぞれ相当する左右一対の足受け支持用ロッド部６１ａ、６１ｂを有していればよい。ただし、これら左右一対の足受け支持用ロッド部６１ａ、６１ｂのそれぞれには、上記左右一対の足受け支持用ロッド部３５ａ、３５ｂの取付け部２１ａ、２１ｂにそれぞれ相当する左右一対の取付け部５６ａ、５６ｂがそれぞれ一体的に連設されている。
【００２４】
足受け部補助体１６、第１の凹み部２４、第２の凹み部２５および足受け用突出部５７のそれぞれの平面的に見たときのほぼ左右方向における最大長さＬ１、ほぼ前後方向における最大長さＬ２および面積Ｓ１のそれぞれは、図５などに示す図示の実施例においては、約２４ｃｍ、約９ｃｍおよび約２００ｃｍ２である。そして、上記ほぼ左右方向における最大長さＬ１は、実用性の観点から見て一般的に、１６〜３２ｃｍの範囲であるのが好ましく、１８〜３０ｃｍの範囲であるのがさらに好ましく、１９．２〜２８．８ｃｍの範囲であるのが最も好ましい。また、上記ほぼ前後方向における最大長さＬ２は、実用性の観点から見て一般的に、６〜１２ｃｍの範囲であるのが好ましく、６．６〜１１．４ｃｍの範囲であるのがさらに好ましく、７．２〜１０．８ｃｍの範囲であるのが最も好ましい。さらに、上記面積Ｓ１は、実用性の観点から見て一般的に、１００〜３００ｃｍ２の範囲であるのが好ましく、１３２〜２６８ｃｍ２の範囲であるのがさらに好ましく、１５０〜２５０ｃｍ２の範囲であるのが最も好ましい。
【００２５】
第１の足受け部１２の足受け部本体１４は、図５などに示すように、平面的に見て、後側の端部から前側の端部に向って連続的に多少幅狹になるように構成されたほぼ長方形状（換言すれば、傾斜角度が比較的小さいほぼ等脚台形状）であってよい。そして、足受け部本体１４の後側の端部の左右両端部は、平面的に見て、径が比較的小さい円弧状に形成されている。また、足受け部本体１４の前側の端部の左右両端部は、平面的に見て、径が比較的大きい円弧状に形成されている。さらに、足受け部本体１４の前側の端部の中央部分は、この足受け部本体１４の前側の端部の左右両端部とは連続的な曲線になるように、径がさらに大きい円弧状に形成されている。
【００２６】
第１の足受け部１２の足受け部本体１４および第２の足受け部１３の足受け部本体５５のそれぞれの平面的に見たときのほぼ左右方向における最大長さＬ３、ほぼ前後方向における最大長さＬ４および面積Ｓ２のそれぞれは、図５などに示す図示の実施例においては、約４６ｃｍ、約５７ｃｍおよび約２，５００ｃｍである。そして、上記ほぼ左右方向における最大長さＬ３は、実用性の観点から見て一般的に、３０〜６２ｃｍの範囲であるのが好ましく、３４〜５８ｃｍの範囲であるのがさらに好ましく、３６〜５６ｃｍの範囲であるのが最も好ましい。また、上記ほぼ前後方向における最大長さＬ４は、実用性の観点から見て一般的に、３８〜７６ｃｍの範囲であるのが好ましく、４２〜７２ｃｍの範囲であるのがさらに好ましく、４５〜６９ｃｍの範囲であるのが最も好ましい。さらに、上記面積Ｓ２は、実用性の観点から見て一般的に、１，２５０〜３，７５０ｃｍ２の範囲であるのが好ましく、１，６６０〜３，３４０ｃｍ２の範囲であるのがさらに好ましく、１，８７０〜３，１３０ｃｍ２の範囲であるのが最も好ましい。
【００２７】
さらに、上記最大長さＬ３に対する上記最大長さＬ１の比Ｌ１／Ｌ３は、図５などに示す図示の実施例においては、約０．５２である。そして、上記最大長さＬ４に対する上記最大長さＬ２の比Ｌ２／Ｌ４は、図５などに示す図示の実施例においては、約０．１６である。また、上記面積Ｓ２に対する上記面積Ｓ１の比Ｓ１／Ｓ２は、約０．０８（換言すれば、約８％）である。そして、上記比Ｌ１／Ｌ３は、実用性の観点から見て一般的に０．３４〜０．７０の範囲であるのがさらに好ましく、０．３９〜０．６５の範囲であるのがさらに好ましく、０．４１〜０．６３の範囲であるのが最も好ましい。また、上記比Ｌ２／Ｌ４は、実用性の観点から見て一般的に、０．１０〜０．２２の範囲であるのが好ましく、０．１２〜０．２０の範囲であるのがさらに好ましく、０．１３〜０．１９の範囲であるのが最も好ましい。また、上記Ｓ１／Ｓ２は、実用性の観点から見て一般的に、４〜１２％の範囲であるのが好ましく、５〜１１％の範囲であるのがさらに好ましく、６〜１０％の範囲であるのが最も好ましい。
【００２８】
３、医療台の概略的な動作
【００２９】
医療台１が図１、図４などに示す検診台形態であるときや、図２などに示すベッド形態にあるときなどの総ての状態において、この医療台における周知の昇降機構を作動させることによって、昇降機枠４を昇降させることができる。例えば、検診台１が図２などに示すベッド状態にあるときに、フットスイッチなどのスイッチ機構（図示せず）のスイッチを操作して、昇降基枠（ひいては、背受け部６、座板部１１および第１または第２の足受け部１２、１３のような主要な構成部材がそれぞれ取り付けられている基枠）４を初期位置からほぼ水平な状態を保って上昇させることによって、背受け部６、座板部１１、第１または第２の足受け部１２、１３、左右一対の足載せ具３１ａ、３１ｂなどから成るベッド部分の位置を高くする高さ調整を行うことができる。
【００３０】
さらに、取扱者が上記スイッチ機構のスイッチを操作すれば、背受け部６を初期位置から図１、図３などに示すように立上り方向に傾動させることができる。また、取扱者が第１の足受け部１２の回動操作部材３７の操作部４３を操作すれば、第１の足受け部１２を初期位置から図４に示すように立下り方向に傾動させることができる。そして、取扱者が上記スイッチ機構のスイッチを操作すれば、上述の場合とは逆に、背受け部６を初期位置などに復動させたり、昇降基枠４を初期位置などに復動させたりすることもできる。また、取扱者が第１の足受け部１２の前端部付近をほぼ上方に向かって持ち上げると、この第１の足受け部１２を図２に示すように上記初期位置に向かって復動させることができる。さらに、上記スイッチ機構のスイッチを操作すれば、座板支持部９を前後方向に傾動させることができる。具体的には、座板支持部９は、この座板支持部９の後端部付近を回動支点して、図１に示す状態から反時計方向に最大で例えば約３０°だけ往回動することができる。
【００３１】
例えば、ＮＳＴ（ノンストレステスト）などの検査を行う場合には、図３および図７に示すように、第２のベッド形態でもって医療台１を使用することができる。また、ＩＶＦ（体外受精）などの処置の後に患者が休息する場合には、図４および図８に示す検診台形態でもって医療台１を使用することができる。そして、図４および図８に示す検診台形態においては、患者などの使用者を軽くのけ反らせることができる、いわゆる骨盤拳上の体位に使用者を保持させることができる。なお、第１の足受け部１２は、前記スイッチ機構のスイッチを操作することによって足受け部本体１４の角度を変更することができるようには構成されていない。しかし、足受け用フレーム１５のＵ字状固定部２２、左側および右側の足受け支持用ロッド部３５ａ、３５ｂおよび回動操作部材３７から構成されているチルト機構が、図１０に示すように、足受け用フレーム１５に組み込まれているので、取扱者が第１の足受け部１２の操作部４３を操作することによって、足受け部本体１４の傾斜角度が変更されることができる。
【００３２】
４、足受け部の動作
【００３３】
図１、図５、図６などに示す足受け部１２、１３の取付け可能状態において、第１の足受け部１２および第２の足受け部１３のうちのいずれ一方が、図１、図５、図６などに示す医療台本体６２に取付けられることができる。そして、医療台１をベッド形態のみで使用することを予定するときには、取扱者は、第２の足受け部１３を医療台本体６２に取付けるために、第２の足受け部１３の左右一対のロッド状被取付け部５６ａ、５６ｂを座板支持部９の左右一対の取付け孔２３ａ、２３ｂにそれぞれ差し込み嵌合させることによって、第２の足受け部１３を座板支持部９（ひいては、医療台本体６２）に取付け固定する。また、医療台１を検診台形態でも使用するかあるいは検診台形態のみで使用することを予定するときには、取扱者は、第１の足受け部１２の左右一対のロッド状被取付け部２１ａ、２１ｂを座板支持部９の左右一対の取付け孔２３ａ、２３ｂにそれぞれ嵌合させることによって、第１の足受け部１２を座板支持部９（ひいては、医療台本体６２）に取付け固定する。なお、第１および第２の足受け部１２、１３を座板支持部９から取外すときには、上述の取付けの場合とは逆の操作を行えばよい。
【００３４】
図２および図９には、背受け部６、座板部１１および第１の足受け部１２（換言すれば、足受け用補助体１６および足受け部本体１４）のそれぞれの上側面が、全体としてほぼ水平になっている医療台１の第１のベッド形態が示されている。そして、第１の足受け部１２の代りに第２の足受け部１３が用いられた場合にも、第１の足受け部１２の足受け用補助体１６が第２の足受け部１３の足受け用突出部５７に置き換えられることを除いて、ほぼ同様のベッド形態が得られる。また、フットスイッチなどのスイッチ機構（図示せず）のスイッチを操作して、図７に示すように背受け部６を立上り方向に傾動させると、背受け部６が傾斜している第２のベッド形態が得られる。なお、この第２のベッド形態において、第２の足受け部１３が図７に示すように第１の足受け部１２に置き換えられているときには、足受け部本体１４を下傾状態に往動させることによって、医療台１は、検診台形態になることができる。
【００３５】
図６には、図１および図５に示す医療台本体６２の左右一対の足載せ具支持部２６ａ、２６ｂに左右一対の足載せ具３１ａ、３１ｂが取付けられた検診台形態が示されている。そして、図７には、図５に示す医療台本体６１に第１の足受け部１２が取付けられた検診台形態が示されている。また、図７に示す第２のベッド形態から図８に示す検診台形態に変更するときには、まず、取扱者が第１の足受け部１２の回動操作部材３７の操作部４３をほぼ上方に多少持ち上げる。この持ち上げによって、操作部４３がねじりコイルばね（図示せず）の弾性付勢力に逆らって回動軸部４１を支点としてほぼ上方に向って回動するので、Ｕ字状固定部２２のストッパ用突起部５３が操作部４３の下側の係合用凹部４５との係合を解除される。このために、第１の足受け部１２の足受け本体１４が自重によって回動支軸部５１ａ、５１ｂを支点としてほぼ下方に往回動するか、あるいは、取扱者が第１の足受け部１２の足受け部本体１４をほぼ下方に押し下げれば、この足受け部本体１４が回動支軸部５１ａ、５１ｂを支点としてほぼ下方に往回動する。したがって、Ｕ字状固定部２２のストッパ用突起部５３が、図１３に示すように、操作部４３の上側の係合用凹部４６に係合する。この結果、足受け部本体１４は、図４および図１３に示すように、その後端部の側からその前端部の側に向って下方にほぼ４０°傾斜した状態でもって上記往回動を停止する。そして、足受け部本体１４を復回動させるときには、取扱者この足受け部本体１４の前端部の側をほぼ上方に向って持ち上げると、上記往回動とはほぼ逆の動作が自動的に行われる。このために、足受け部本体１４は、図４および図１３に示す下傾状態から図３および図１２に示すほぼ水平な状態に復回動する。
【００３６】
上述のように、足受け部本体１４が図３および図１２に示す水平状態と図４および図１３に示す下傾状態との間を往復動するときにも、Ｕ字状固定部２２および足受け部補助体１６のそれぞれは、座板支持部９に対して固定されていて、所定の位置に保持されている。このために、足受け部本体１４の上記往復動時に、Ｕ字状固定部２２および足受け部補助体１６のいずれもが、座板部１１の上側面とほぼ面一であって、この上側面から上昇したり下降したりすることがない。したがって、Ｕ字状固定部２２および足受け部補助体１６のそれぞれが医療台１を使用する患者などの使用者にとって邪魔になることはなく、また、足受け部補助体１６が、座板部１１との組み合わせでもって、ほぼ平面的に見てほぼ長方形状の使用者用座部（換言すれば、ほぼ平面的に見て切欠き凹部が実質的に存在しない座部）を構成している。
【００３７】
以上、本発明の一実施例について詳細に説明したが、本発明は、この実施例に限定されるものではなく、特許請求の範囲に記載された発明の趣旨に基づいて各種の変更および修正が可能である。
【００３８】
例えば、上述の実施例においては、左側の足受け支持用ロッド部３５ａと右側の足受け支持用ロッド部３５ｂとの間に止切れ目３８を設けている。しかし、上記止切れ目３８は必ずしも必要ではなく、左側の支持用ロッド部３５ａの先端部が右側の支持用ロッド部３５ｂの先端部に一体的に連結されていてもよい。
【００３９】
また、上述の実施例においては、足受け用補助体１４、第２の足受け部１３の足受け用突出部５７、座板部１１の第１の凹み部２４および座板支持部９の第２の凹み部２５のそれぞれは、平面的に見て、互いにほぼ同形状であってよいほぼ等脚台形状に構成されている。しかし、足受け用補助体１４、足受け用突出部５７、第１および第２の凹み部２４、２５のそれぞれは、平面的に見て、互いにほぼ同形状であってよいほぼ長方形状、ほぼ半長円形状、ほぼ半楕円形状、ほぼ半円形状などの別の形状であってもよい。
【００４０】
また、上述の実施例においては、座板部１１および座板支持部９に第１の凹み部２４および第２の凹み部２５をそれぞれ設けている。しかし、第１の凹み部２４に相当する第１の欠如部を座板部１１の全幅（換言すれば、左右方向における全長）にわたって座板部１１に設けるとともに、第２の凹み部２５に相当する第２の欠如部を座板支持部９の全幅（換言すれば、左右方向における全長）にわたって座板支持部９に設けてもよい。そして、この場合には、足受け部補助体１６の横幅を第１の足受け部１２の横幅とほぼ一致させるとともに、足受け用突出部５７の横幅を第２の足受け部１３の横幅とほぼ一致させるのが好ましい。
【００４１】
また、上述の実施例においては、第１の足受け部１２の第１の被取付け手段としての左右一対の被取付け部２１ａ、２１ｂと、第２の足受け部１３の第２の被取付け手段としての左右一対の被取付け部５６ａ、５６ｂとのうちのいずれか一方を、医療台本体６２に設けた共通の取付け手段としての左右一対の取付け孔２３ａ、２３ｂに選択的に取付けるようにした。しかし、第１の足受け部１２の第１の被取付け手段を、医療台本体６２に設けた第１の取付け手段に選択的に取付けるようにするとともに、第２の足受け部１３の第２の被取付け手段を、医療台本体６２に上記第１の取付け手段とは別個に設けた第２の取付け手段に選択的に取付けるようにしてもよい。
【００４２】
さらに、上述の実施例においては、第１の足受け部１２または第２の足受け部１３を医療台本体６２の側に取付けるために、取付け手段としての左右一対の取付け孔２３ａ、２３ｂを医療台本体６２の側に設けるとともに、上記左右一対の取付け孔２３ａ、２３ｂにそれぞれ着脱自在に差し込み嵌合させることができる被取付け手段としての左右一対のロッド状被取付け部２１ａ、２１ｂを第１の足受け部１２および第２の足受け部１３にそれぞれ設けた。しかし、上記取付け手段が、左右一対のねじ孔から構成されるとともに、上記被取付け手段が、上記左右一対のねじ孔のそれぞれにねじ込みおよびねじ戻し可能にそれぞれ構成された左右一対の雄ねじ部と、これら左右一対の雄ねじ部のそれぞれに上記ねじ込みおよびねじ戻しの動作をそれぞれ行わせるための左右一対の回動操作部とから構成されていてもよい。
【符号の説明】
【００４３】
１      医療台
６      背受け部
９      座板支持部
１１    座板部
１２    第１の足受け部（足受け部）
１３    第２の足受け部
１４    足受け部本体
１５    足受け部用フレーム
１６    足受け部補助体
２１ａ  左側の被取付け部（被取付け手段、第１の被取付け手段）
２１ｂ  右側の被取付け部（被取付け手段、第１の被取付け手段）
２２    固定部
２３ａ  左側の取付け孔（取付け手段）
２３ｂ  右側の取付け孔（取付け手段）
２４    第１の凹み部（凹み部）
２５    第２の凹み部
３２    横材部
３５ａ  左側の足受け支持用ロッド部（足受け支持手段）
３５ｂ  右側の足受け支持用ロッド部（足受け支持手段）
３７    回動操作部材
５５    足受け部本体
５６ａ  左側の被取付け部（第２の被取付け手段）
５６ｂ  右側の被取付け部（第２の被取付け手段）
５７    足受け用突出部
６２    医療台本体
Ｌ１    最大長さ（第１の最大長さ）
Ｌ２    最大長さ（第２の最大長さ）
Ｌ３    最大長さ（第３の最大長さ）
Ｌ４    最大長さ（第４の最大長さ）
【図１】
2016077505.tif 000003
【図２】
2016077505.tif 000004
【図３】
2016077505.tif 000005
【図４】
2016077505.tif 000006
【図５】
2016077505.tif 000007
【図６】
2016077505.tif 000008
【図７】
2016077505.tif 000009
【図８】
2016077505.tif 000010
【図９】
2016077505.tif 000011
【図１０】
2016077505.tif 000012
【図１１】
2016077505.tif 000013
【図１２】
2016077505.tif 000014
【図１３】
2016077505.tif 000015